(57)【要約】  【課題】体液によって衣類や寝具が汚れるのを完全に防止するようにした巻き付けるタイプの使い捨ておむつを提供する。  【解決手段】少なくとも内面側を覆う透液性表面シート２と、外面側を覆う外面シート３と、前記透液性表面シート２と外面シート３との間に介在される吸収体４とを備え、展開状態で略方形状又は略台形状に形成され、上端部に上辺方向に沿ってウエスト部弾性部材５，５…が配設され、一方側側端部にファスナー手段を備えるとともに、他方側側端部に前記ファスナー手段の止着手段を備えた巻き付けるタイプの使い捨て紙おむつとする。前記ファスナー手段及び止着手段としては、例えば雄側面ファスナー８Ａ、８Ａ…と雌側面ファスナー８Ｂとの組合せとすることができる。【選択図】図１
2005278773.tif 000002
【特許請求の範囲】
【請求項１】
内面側を覆う透液性表面シートと、外面側を覆う外面シートと、前記透液性表面シートと外面シートとの間に介在される吸収体とを備え、展開状態で略方形状又は略台形状に形成され、一方側側端部と他方側側端部とを接合する接合手段を備えることを特徴とする巻き付けるタイプの使い捨ておむつ。
【請求項２】
上端部に上辺方向に沿ってウエスト部弾性部材が配設された請求項１記載の巻き付けるタイプの使い捨ておむつ。
【請求項３】
前記接合手段は、一方側側端部に設けられたファスナー手段と、他方側側端部に設けられた前記ファスナー手段の止着手段とからなる請求項１、２いずれかに記載の巻き付けるタイプの使い捨ておむつ。
【請求項４】
前記ファスナー手段及び止着手段としては、粘着層が設けられたテープファスナーとターゲットテープとの組合せ、雄側面ファスナーと雌側面ファスナーとの組合せ、ボタンとボタン孔との組合せ、凸型留め具と凹型留め具からなるスナップボタン、雄側面ファスナーと不織布との組合せのいずれか又は組合せとしてある請求項３記載の巻き付けるタイプの使い捨ておむつ。
【請求項５】
前記吸収体は展開面のほぼ全面又は一部に配設されている請求項１〜４いずれかに記載の巻き付けるタイプの使い捨ておむつ。
【請求項６】
前記巻き付けるタイプの使い捨ておむつは、下端部分に、下辺方向に沿って身体側に起立する立体ギャザーが形成されている請求項１〜５いずれかに記載の巻き付けるタイプの使い捨ておむつ。
【請求項７】
前記巻き付けるタイプの使い捨ておむつは、股間部からおむつ下辺までの距離が５〜３０cmの範囲である請求項１〜６いずれかに記載の巻き付けるタイプの使い捨ておむつ。
【発明の詳細な説明】
【技術分野】
【０００１】
本発明は、身体を巻くようにして装着される巻き付けるタイプの使い捨ておむつに関する。
【背景技術】
【０００２】
従来より、例えば下記特許文献１に示されるようなパンツ型の使い捨て紙おむつが知られている。この使い捨て紙おむつは、図８に示されるように、透液性トップシート５２と、ポリエチレン等からなる防水フィルム５３と、これら両シート間に介在された吸収体５４とからなる吸収性本体５０の外面側に外装シート５１を設けた構造であって、前記吸収性本体５０は、外面側に塗布されたホットメルト接着剤によって外装シート５１に接着されることにより一体化され、略中央で折り畳んで前身頃と後身頃とを重ね合わせ、その両側縁部を熱シール、超音波溶接法等の溶着方法に接合することによってウエスト開口部と左右一対の脚開口部が形成されたパンツ型に成形されている。また、下記特許文献２に示されるように、透液性表面シートとバックシートとの間に吸収体が介在されるとともに、後身頃の両側部にそれぞれ粘着層を有するテープファスナーを備えたテープ式使い捨て紙おむつなどが提案されている。
【特許文献１】特開平１０−１２７６８７号公報
【特許文献２】特開平１２−７９１４０号公報
【発明の開示】
【発明が解決しようとする課題】
【０００３】
しかしながら、前記パンツ型又はテープ式使い捨て紙おむつにおいては、従来より体液漏れを防止するために種々の工夫が成されているものの、着用者が寝ている横向き状態時では股間部等に隙間が生じ易く体液が漏れやすい。この体液漏れを防止するため、おむつの内部に尿取りパッドや失禁パッド等のインナーパッドを挿入したりしているが、これらの手段を講じても完全に体液漏れを防止することはできず、衣類や寝具を汚してしまうことがある、などの問題があった。
【０００４】
そこで本発明の主たる課題は、体液によって衣類や寝具が汚れるのを完全に防止するようにした巻き付けるタイプの使い捨ておむつを提供することにある。
【課題を解決するための手段】
【０００５】
前記課題を解決するために請求項１に係る本発明として、内面側を覆う透液性表面シートと、外面側を覆う外面シートと、前記透液性表面シートと外面シートとの間に介在される吸収体とを備え、展開状態で略方形状又は略台形状に形成され、一方側側端部と他方側側端部とを接合する接合手段を備えることを特徴とする巻き付けるタイプの使い捨ておむつが提供される。
【０００６】
上記請求項１記載の使い捨ておむつは、略方形状又は略台形状に形成され、一方側側端部と他方側側端部とを接合する接合手段を備えるものであり、身体に巻き付けるようにして装着される。この使い捨ておむつは、単独で使用することも可能であるが、好ましくは従来のパンツ型使い捨ておむつやテープ式使い捨ておむつと組み合わせて使用するのが望ましい。
【０００７】
従って、就寝中などにパンツ型使い捨ておむつやテープ式使い捨ておむつの隙間から体液の漏れが生じても、身体を完全に巻いて装着された本使い捨ておむつが体液を捕捉・吸収するため、衣類や寝具を濡らすことが無くなる。
【０００８】
また、他の利点を列挙すれば次のとおりである。
(1)寝る前にパンツやパンツ型使い捨ておむつやテープ式使い捨ておむつの外側に巻くだけであるため、装着が容易である。また、寝ている状態からでも容易に装着することができる。
(2)身体を巻くようにして装着されるため、寝ている間にズレが無く、体液を確実に捕捉・吸収することが可能である。
(3)身体を巻くようにして装着されるため、足回りの締め付けが無く、装着感も良好である。
【０００９】
請求項２に係る本発明として、上端部に上辺方向に沿ってウエスト部弾性部材が配設された請求項１記載の巻き付けるタイプの使い捨ておむつが提供される。ウエスト部には弾性弾性部材を配設しおむつがずり落ちないようにするのが望ましい。
【００１０】
請求項３に係る本発明として、前記接合手段は、一方側側端部に設けられたファスナー手段と、他方側側端部に設けられた前記ファスナー手段の止着手段とからなる請求項１、２いずれかに記載の巻き付けるタイプの使い捨ておむつが提供される。
【００１１】
請求項４に係る本発明として、前記ファスナー手段及び止着手段としては、粘着層が設けられたテープファスナーとターゲットテープとの組合せ、雄側面ファスナーと雌側面ファスナーとの組合せ、ボタンとボタン孔との組合せ、凸型留め具と凹型留め具からなるスナップボタン、雄側面ファスナーと不織布との組合せのいずれか又は組合せとしてある請求項３記載の巻き付けるタイプの使い捨ておむつが提供される。ファスナー手段及び止着手段として常用されている、これらの組合せによって、本使い捨て紙おむつを身体に巻き付けて装着することが可能となる。
【００１２】
請求項５記載の本発明では、前記吸収体は展開面のほぼ全面又は一部に配設されている請求項１〜４いずれかに記載の巻き付けるタイプの使い捨ておむつが提供される。本発明ではおむつの展開面積が従来のものと比べると大きくなり、コスト増が懸念されるが、吸収体を体液排出部位に限定して配置することによりコスト低減を図るようにしてもよい。
【００１３】
請求項６記載の本発明として、前記巻き付けるタイプの使い捨ておむつは、下端部分に、下辺方向に沿って身体側に起立する立体ギャザーが形成されている請求項１〜５いずれかに記載の巻き付けるタイプの使い捨ておむつが提供される。下端部に立体ギャザーを形成することにより、体液を完全に堰き止めることが可能となる。
【００１４】
請求項７に係る本発明では、前記巻き付けるタイプの使い捨ておむつは、股間部からおむつ下辺までの距離が５〜３０cmの範囲である請求項１〜６いずれかに記載の巻き付けるタイプの使い捨ておむつが提供される。例えば、就寝中などにパンツ型使い捨ておむつやテープ式使い捨ておむつの隙間から体液の漏れが生じた場合でも、股間部からおむつ下辺までの距離が５〜３０cmであれば、体液が衣類や寝具を汚すのをほぼ確実に防止することが可能である。
【発明の効果】
【００１５】
以上詳説のとおり本発明によれば、身体に巻き付けて装着されるため、体液によって衣類や寝具が汚れるのを完全に防止することが可能となる。
【発明を実施するための最良の形態】
【００１６】
以下、本発明の実施の形態について図面を参照しながら詳述する。
【００１７】
〔第１形態例〕  
図１は本発明に係る巻き付けるタイプの使い捨ておむつ１Ａの一部破断展開図、図２及び図３は図１のII−II線矢視図である。なお、図面の所要箇所においては接着部位を×で明示している。
【００１８】
同図に示されるように、本使い捨ておむつ１Ａは、主に不織布、多孔プラスチックシートなどからなり内面側を覆う透液性表面シート２と、外面側を覆うポリエチレン等からなる防漏用の外面シート３と、前記透液性表面シート２と外面シート３との間に介在された吸収体４とから主に構成された略方形状又は略台形状の形状を成し、一方側側端部と他方側側端部とを接合する接合手段を備え、身体に巻き付けて装着されるタイプの使い捨ておむつである。
【００１９】
前記透液性表面シート２としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法、エアスルー法等の適宜の加工法によって得られた不織布を用いることができる。これらの加工法の内、スパンレース法は柔軟性、ドレープ性に富む点で優れ、サーマルボンド法は嵩高でソフトである点で優れている。透液性表面シート２に多数の透孔を形成した場合には、尿などが速やかに吸収されるようになりドライタッチ性に優れたものとなる。
【００２０】
前記外面シート３としては、非透湿性でもよいが、近年はムレ防止の点から透湿性を有するものが好適に用いられている。この遮水・透湿性シートは、例えばポリエチレンやポリプロピレン等のオレフィン樹脂中に無機充填材を溶融混練してシートを形成した後、一軸または二軸方向に延伸することにより得られる微多孔性シートであり、仮にシート厚が同じであれば無孔シートよりも剛性が低下するため、柔軟性の点で勝るものとなる。
【００２１】
前記吸収体４は、形状保持と透液性表面シート２を透過した体液の拡散性向上のためにクレープ紙（図示せず）によって囲繞されているのが望ましく、また、吸収体４と外面シート３との間に防水フィルムを介在することにより前記外面シート３を不織布などの透液性素材としてもよい。
【００２２】
前記使い捨ておむつ１Ａにおいては、上下端部および両側端部にそれぞれ、透液性表面シート２および外面シート３が共に延在し、吸収体４の存在しない上部又は下部フラップ部ＥＦ、側部フラップ部ＳＦが形成されている。
【００２３】
前記上部フラップ部ＥＦ、すなわちウエスト部側においては、上辺方向に沿って１又は複数の、図示の例では７本のウエスト部弾性部材５，５…が配設されるとともに、下端側においては、下縁に沿って内面側への折返し部位が設けられ、この折返し部位の先端に配設された弾性部材６の伸縮力を利用して身体側に起立する立体ギャザー７が形成されている。なお、下端側においては、前記吸収体４を端縁まで介在させ、この吸収体４と共に起立させて立体ギャザー７を形成するようにしてもよい。前記上部フラップＥＦは、図２に示されるように、透液性表面シート２と外面シート３とを共に延在させて対向面同士を接合した構造でもよいが、好ましくは図３に示されるように、外面シート３を透液性表面シート２よりもさらに外方に延在させるとともに、延在させたこの外面シート３部分を表面側に折り返して接合するのが望ましい。また、前記立体ギャザー７は、図２に示される例ではギャザー不織布を二重に折り重ね、一端側を透液性表面シート２に接合し、他端側を外面シート３に接合するようにしているが、図３に示されるように、ギャザー不織布の一端側と他端側とで透液性表面シート２と外面シート３とを挟むように接合してもよい。
【００２４】
一方、前記側部フラップ部ＳＦ、ＳＦを接合する接合手段としては、一方側側部フラップＳＦに設けられたファスナー手段と、他方側側部フラップＳＦに設けられた前記ファスナー手段の止着手段とから構成することができる。
【００２５】
前記ファスナー手段及び止着手段としては、例えば粘着層が設けられたテープファスナーとターゲットテープとの組合せ、雄側面ファスナーと雌側面ファスナーとの組合せ、ボタンとボタン孔、凸型と凹型からなるスナップボタン、雄側綿ファスナーと不織布との組合せのいずれか又は組合せとすることができる。
【００２６】
図１に示される例は、雄側面ファスナーと雌側面ファスナーとの組合せによってファスナー手段と止着手段とを構成したものであり、一方側の側部フラップＳＦに対し側辺方向に所定間隔で雄側面ファスナー８Ａ、８Ａ…を取り付けるとともに、他方側の側部フラップＳＦに対し側辺に沿ってテープ状の雌側面ファスナー８Ｂを取付けている。
【００２７】
なお、前記雄側面ファスナー８Ａと雌側面ファスナー８Ｂとの配置は逆に配置しても良く、また、外面シート３が不織布により構成される場合には、雌側面ファスナー８Ｂを省略し、雄側面ファスナー８Ａ、８Ａ…を直接前記外面シート３に接合することとしても良い。また、雌側面ファスナー８Ｂを幅広とし、雄側面ファスナー８Ａの接合位置をある程度の調整代で調整可能としてもよい。さらに、前記雄側面ファスナー８Ａについても雌側面ファスナー８Ｂと同様に、側辺に沿って連続するテープ状のものを用いてもよい。
【００２８】
前記使い捨ておむつ１Ａは、図４に示されるように、ウエスト部弾性部材５，５…をウエストに当て、前記雄側面ファスナー８Ａと雌側面ファスナー８Ｂとを接合することにより腰部に巻き付けるようにして装着される。また、前記使い捨ておむつ１Ａは、単独で使い捨て紙おむつとして使用しても良いが、好ましくは、図５に示されるように、従来のテープ式紙おむつやパンツ型紙おむつ（図示の例ではパンツ型紙おむつ）を装着した上で、その外側にアウターとして併用して装着するのが望ましい。
【００２９】
前記使い捨ておむつ１Ａは、股間部Ｐから巻き付けるタイプの使い捨ておむつ１Ａの下端までの距離Ｈは、５〜３０cmの範囲とするのが望ましい。前記股下距離Ｈが５cm未満であるとパンツ型紙おむつから漏れた体液を捕捉できない虞がある。また、股下範囲Ｈが３０cmを超えると、膝下の動きに対して邪魔になり装着感が悪くなる。
【００３０】
〔第２形態例〕
図６に示される本第２形態例に係る使い捨ておむつ１Ｂは、前記ファスナー手段及び止着手段として、粘着層が設けられたテープファスナーとターゲットテープとの組合せを採用するとともに、吸収体４を展開面の一部に配設するようにした例である。なお、本形態例において、第１形態例と基本的に同じ構造の箇所においては図面に番号を付して説明を省略する。
【００３１】
前記使い捨ておむつ１Ｂは、同図に示されるように、一方側の側部フラップＳＦに対し側辺方向に所定間隔で粘着層を有するテープファスナー９，９…を取り付けるとともに、他方側の側部フラップＳＦに対し側辺に沿ってプラスチックフィルムからなるターゲットテープ１０を取付け、前記テープファスナー９、９…をターゲットテープ１０に止着することにより腰部に巻き付けるようにして本使い捨ておむつ１Ｂが装着されるようになっている。なお、前記外面シート３がプラスチックシートの場合には、前記ターゲットテープ１０を省略して前記テープファスナー９を直接外面シート３に接着するようにしてもよい。
【００３２】
また、本使い捨ておむつ１Ｂでは、製造コストを低減するために、吸収体４を幅方向の中間部分にのみ配設し、身体の脇部若しくは前側となる部分については吸収体４を省略した構造としている。
【００３３】
〔他の形態例〕
(1)上記形態例では両側部に吸収体の存在しない側部フラップＳＦ、ＳＦを形成するようにしたが、図７に示されるように、吸収体４を側縁まで延在させ、側部フラップＳＦを形成しないこととしてもよい。
(2)上記形態例では、ウエスト部に弾性部材５、５を配設するようにしたが、場合によってはウエスト部に弾性部材を配設しない構造とすることもできる。
(3)上記形態例では、接合手段として、ファスナー手段とその止着手段としたが、一方側側部フラップＳＦに設けられた紐と、他方側側部フラップＳＦに設けられた紐とを繋結するようにしてもよい。
【図面の簡単な説明】
【００３４】
【図１】巻き付けるタイプの使い捨ておむつ１Ａの破断展開図である。
【図２】図１のII−II線矢視図である。
【図３】図１のII−II線矢視の他例を示す図である。
【図４】単独で巻き付けるタイプの使い捨ておむつ１Ａを装着した場合の装着状態図である。
【図５】パンツ型使い捨ておむつと併用して巻き付けるタイプの使い捨ておむつ１Ａを装着した場合の装着状態図である。
【図６】巻き付けるタイプの使い捨ておむつ１Ｂの破断展開図である。
【図７】巻き付けるタイプの使い捨ておむつの他の形態例を示す破断展開図である。
【図８】従来のパンツ型紙おむつの展開図である。
【符号の説明】
【００３５】
１Ａ・１Ｂ…巻き付けるタイプの使い捨ておむつ、２…透液性表面シート、３…外面シート、４…吸収体、５・６…弾性部材、７…立体ギャザー、８Ａ…雄側面ファスナー、８Ｂ…雌側面ファスナー、９…テープファスナー、１０…ターゲットテープ
【図１】
2005278773.tif 000003
【図２】
2005278773.tif 000004
【図３】
2005278773.tif 000005
【図４】
2005278773.tif 000006
【図５】
2005278773.tif 000007
【図６】
2005278773.tif 000008
【図７】
2005278773.tif 000009
【図８】
2005278773.tif 000010